(57)【要約】【課題】本発明の課題は、きわめて優れた清掃結果とともに、炉ドアのドア止めの簡単な清掃を可能にし、炉ドアの損傷をもたらすことがなく、かつ簡単に構成されており、少ない部品の多様性を有するコークス炉制御装置を提供することにある。【解決手段】本願発明は、複数のガイド要素を有する保持フレーム（７）と、該支持フレーム（６）上に配置されて前記ガイド要素に沿って作動可能であり、コークス炉（４）の複数の並列に配置された炭化室の炉ドア（３）のドア止め（２）を清掃する少なくとも１つのフライス装置（５）とを具備するコークス炉制御装置（１）において、前記保持フレーム（７）が、前記保持フレーム（７）における前記炉ドア（３）のドア止めのドアセンタリング及び／若しくは固定のために形成された手段（１１）を、前記ガイド要素間に有し、前記ガイド要素が、前記保持フレーム（７）にセンタリングされ及び／若しくは固定された炉ドア（３）の長手方向に延在し、前記支持フレーム（６）が、前記フライス装置（５）と共に、前記ドア止め（２）の清掃のために、前記保持フレーム（７）に挿着されて固定された炉ドア（３）の前記ドア止め（２）の側表面に沿って作動可能であることにある。【選択図】  図１
2008527097.tif 000002
【特許請求の範囲】
【請求項１】
複数のガイド要素を有する保持フレーム（７）と、該支持フレーム（６）上に配置されて前記ガイド要素に沿って作動可能であり、コークス炉（４）の複数の並列に配置された炭化室の炉ドア（３）のドア止め（２）を清掃する少なくとも１つのフライス装置（５）とを具備するコークス炉制御装置（１）において、
前記保持フレーム（７）が、前記保持フレーム（７）における前記炉ドア（３）のドア止めのドアセンタリング及び／若しくは固定のために形成された手段（１１）を、前記ガイド要素間に有し、
前記ガイド要素が、前記保持フレーム（７）にセンタリングされ及び／若しくは固定された炉ドア（３）の長手方向に延在し、
前記支持フレーム（６）が、前記フライス装置（５）と共に、前記ドア止め（２）の清掃のために、前記保持フレーム（７）に挿着されて固定された炉ドア（３）の前記ドア止め（２）の側表面に沿って作動可能であることを特徴とするコークス炉制御装置。
【請求項２】
前記支持フレーム（６）に対向して配置された２つのフライス装置（５）が、前記ドア止め（２）の両方の側表面を同時の清掃するために備えられていることを特徴とする請求項１記載のコークス炉制御装置。
【請求項３】
挿着側の保持フレーム（７）が、前記炉ドア（３）を挿着するための挿着領域（２４）を有し、且つ、前記炉ドア（３）が、前記ドア止め（２）の側と共に前記挿着領域（２４）に挿着可能であり、前記炉ドア（３）のドアセンタリング及び／若しくは固定のための前記手段（１１）が、前記保持フレーム（７）の挿着側に備えられていることを特徴とする請求項１又は２記載のコークス炉制御装置。
【請求項４】
前記保持フレーム（７）の挿着側が、前記コークス炉（４）のコークス押出機及び／若しくはコークス移行機の方向に方向づけられていることを特徴とする請求項１〜３のいずれか１つに記載のコークス炉制御装置。
【請求項５】
前記保持フレーム（７）における前記炉ドア（３）のドアセンタリング及び／若しくは固定のための前記手段（１１）の配置が、炭化室の前記炉ドア（３）のドアセンタリング及び固定のための手段の配置に対応することを特徴とする請求項１〜４のいずれか１つに記載のコークス炉制御装置。
【請求項６】
前記フレーム（７）が、実質的に互いに平行に配置された複数の隣接した長手方向ビーム（８）を有し、且つ、前記支持フレーム（６）が、少なくとも２つの長手方向ビーム（８）に沿ってローラー（２３）を介して作動可能にガイドされていることを特徴とする請求項１〜５のいずれか１つに記載のコークス炉制御装置。
【請求項７】
前記長手方向ビーム（８）が、実質的に垂直方向に前記コークス炉（４）の側壁（１４）に対して平行に延在することを特徴とする請求項１〜６のいずれか１つに記載のコークス炉制御装置。
【請求項８】
前記挿着領域（２４）が、少なくとも２つの隣接した長手方向ビーム（８）によって制限されることを特徴とする請求項１〜７のいずれか１つに記載のコークス炉制御装置。
【請求項９】
前記保持フレーム（７）が、長手方向でｎ角形の横方向の縁、好ましくは四角形の横方向の縁を有し、且つ、前記保持フレーム（７）の角に、それぞれ少なくとも１つの長手方向ビーム（８）が備えられていることを特徴とする請求項１〜８のいずれか１つに記載のコークス炉制御装置。
【請求項１０】
前記支持フレーム（６）が、前記保持フレーム（７）のすべての長手方向ビーム（８）に沿って作動可能であることを特徴とする請求項１〜９のいずれか１つに記載のコークス炉制御装置。
【請求項１１】
前記長手方向ビーム（８）間に、前記ドア止め（２）用の清掃領域（２５）が設けられることを特徴とする請求項１〜１０のいずれか１つに記載のコークス炉制御装置。
【請求項１２】
前記支持フレーム（６）が、前記保持フレーム（７）の長手方向で、実質的にＵ字状の横方向の縁を有し、前記支持フレーム（６）の開放側が、前記保持フレーム（７）の挿着側の方向に方向づけられていることを特徴とする請求項１〜１１のいずれか１つに記載のコークス炉制御装置。
【請求項１３】
前記支持フレーム（６）が、少なくとも２つの側方ウェブ（１８）及び前記側方ウェブ（１８）を互いに結合する少なくとも１つの横方向のウェブ（２１）を有することを特徴とする請求項１〜１２のいずれか１つに記載のコークス炉制御装置。
【請求項１４】
前記支持フレーム（６）が、互いに結合された複数の側方ウェブ（１８）、横方向ウェブ（２１）、及び水平ウェブ（２２）を有する片側に開放したケージとして形成されていることを特徴とする請求項１〜１３のいずれか１つに記載のコークス炉制御装置。
【請求項１５】
前記フライス装置（５）の位置が、前記ドア止め（２）の側壁の傾斜に適合されていることを特徴とする請求項１〜１４のいずれか１つに記載のコークス炉制御装置。
【請求項１６】
コントロール装置が、前記フライス装置（５）の前記ドア止め（２）に対する送り移動の自動的な制御のために備えられていることを特徴とする請求項１〜１５のいずれか１つに記載のコークス炉制御装置。
【請求項１７】
前記コントロール装置が、駆動ユニット（２０）と結合されていることを特徴とする請求項１７記載のコークス炉制御装置。
【請求項１８】
前記支持フレーム（６）を操作するための装置、好ましくは、鎖コンベヤ駆動部（１５）を有する鎖コンベヤ装置が備えられていることを特徴とする請求項１〜１７のいずれか１つに記載のコークス炉制御装置。
【請求項１９】
前記保持フレーム（７）に対して実質的に横方向に作動可能に配置された少なくとも１つの追加のフライス装置（２７）が、石止め（２）の台座面の清掃のために備えられていることを特徴とする請求項１〜１８のいずれか１つに記載のコークス炉制御装置。
【請求項２０】
筐体（３０）及び筐体（３０）と結合された吸引装置（３１）が備えられていることを特徴とする請求項１〜１９のいずれか１つに記載のコークス炉制御装置。
【請求項２１】
前記筐体（３０）が、前記挿着領域における前記保持フレーム（７）の前記挿着側に開口を有し、且つ、前記筐体（３０）の側壁（３４）が、前記保持フレーム（７）の前記長手方向ビーム（８）と前記挿着側で結合されていることを特徴とする請求項２０記載のコークス炉制御装置。
【請求項２２】
請求項１〜２１のいずれか１つに記載の少なくとも１つのコークス炉制御装置（１）を有するコークス炉。
【請求項２３】
前記コークス炉（４）のコークス押出機の側及び前記コークス炉（４）のコークス移行機の側に、それぞれコークス炉制御装置（１）が備えられており、好ましくは、前記コークス炉制御装置（１）が前記炭化室と並んで側方に配置されており、かつ前記コークス炉（４）の側壁（１４）及び／若しくは下部と結合されていることを特徴とする請求項２２に記載のコークス炉。
【請求項２４】
少なくとも前記ドア止め（２）の清掃工程に際して、実質的に完全に周囲に対して前記コークス炉制御装置（１）を閉鎖する共通の筐体（３５）が備えられており、前記共通の筐体（３５）が、前記コークス押出機の側から前記コークス炉（４）の幅を介して、前記コークス移行機の側まで延在することを特徴とする請求項２２又は２３記載のコークス炉。
【請求項２５】
前記コークス押出機及び／若しくは前記コークス機のドアリフター装置が、炭化室のドア開口へ、若しくはそこからの前記炉ドア（３）の挿着及び除去のために、且つ、前記保持フレーム（７）へ、若しくはそこからの前記炉ドア（３）の挿着及び除去のために備えられていることを特徴とする請求項２２〜２４のいずれか１つに記載のコークス炉。
【発明の詳細な説明】
【技術分野】
【０００１】
本発明は、請求項１の前文に記載のコークス炉制御装置に関する。
【背景技術】
【０００２】
コークス炉の炭化室は、その向かい合う開口、すなわちコークス炉のコークス押出機の側及びコークス移行機の側に、それぞれ保持懸垂されたドアで、閉鎖されている。炭化室の内側には、全ドア高にわたって耐熱性の材料によるドア止め、例えば石止めが延在する。このドア止めは、作動状態で炉室に接触するので、炉の充填物がドア本体から一定の距離で保持される。このドア止めには、酸化被膜を付けることによって、炉ドアの金属から成る部分を直接の加熱作用から保護するという課題がある。
【０００３】
ドア止めには、コークス炉ガス中に存在する成分、例えばタールが沈殿し、これらも加熱作用によって一部がクラッキングする。したがって、ドア止めを清掃し、故障のない作動を確保する必要がある。ドア止めの清掃については、特許文献１により、冒頭に述べた種類のコークス炉制御装置が周知である。この周知のコークス炉制御装置は、炉ドアを保持又は固定するために固定された保持装置を有する。固定される保持装置は、土台に配置されている。炉ドアのドア止めの清掃のために、工具送り台に配置されている面フライスが備えられており、前記工具送り台は、スライドフレームのガイドでドア止めの長手方向に作動可能に配置されている。スライドフレームも土台に配置されている。
【０００４】
周知のコークス炉制御装置における不利点は、スライドフレームのドア止めの清掃には、面フライスを有する工具送り台及び炉ドアの保持及び固定のための保持装置について、正確に連続した方向づけが必要であり、ドア止め上に沈殿したコークス炉ガスの成分が、十分な程度に除去される必要があることである。このようにして、成分の除去に際して、ドア止めの損傷が生じないことが確保されなければならない。ドア止め用の保持装置に対するスライドフレームの正確な位置決めは、周知のコークス炉制御装置において実施可能であるが、たいへんコストがかかる。位置決めに際しては、さらに、清掃工程に際して発生する面フライスの振動が考慮される。したがって、正確な位置決めでは、周知のコークス炉制御装置において多くの時間（工数）が必要である。さらに、周知のコークス炉制御装置の構成は、コスト高であり、高い部分多様性を特徴とする。ドア止め用の保持装置に対してスライドフレームの位置決めが正確に実施されない場合、清掃工程に際して、ドア止めの損傷及び／若しくは沈殿物の除去を、完全に実施することができない。
【特許文献１】ドイツ特許  第３７３５５２７号
【発明の開示】
【発明が解決しようとする課題】
【０００５】
本発明の課題は、きわめて優れた清掃結果とともに、炉ドアのドア止めの簡単な清掃を可能にし、炉ドアの損傷をもたらすことがなく、かつ簡単に構成されており、少ない部品の多様性を有する、冒頭に挙げた種類のコークス炉制御装置を提供することである。
【課題を解決するための手段】
【０００６】
上記の課題は、特許請求の範囲、第１項の特徴を有するコークス炉制御装置によって解決される。本発明の基本的な考え方は、支持フレームを位置決めし、かつ炉ドアの位置決め及び固定のための保持装置を備えることにある。それによって、フライス装置を有する支持フレームの配置が、保持フレームに挿着される炉ドアに対して実質的に単純化される。さらに、本発明によるコークス炉制御装置は簡単な構造及び少ない部分多様性を有し、これが、本発明によるコークス炉制御装置の製造費の削減及びコークス炉制御装置の保守と関係した費用の削減につながる。
【０００７】
複数のフライス装置が備えられていることが好ましい。特に、支持フレーム上に向かい合って配置された２つのフライス装置が、ドア止めの両方の側表面を同時に清掃するために備えられている。それによって、清掃工程の持続時間が大幅に短縮される。しかし、基本的には、１つだけのフライス装置が備えられ、ドア止めの側表面が連続的に清掃されることも可能である。フライス装置が、面フライス、又は場合により平面フライスも有することが可能である。
【０００８】
保持フレームは、挿着側に炉ドアを挿着するための挿着領域を有する。炉ドアは、ドア止め側と共に、挿着領域へ挿着可能であり、ここで炉ドアのドアセンタリング及び／若しくは固定のための保持フレームの手段、例えば、ロッキングフックが、保持フレームの挿着側に備えられている。この場合、挿着領域は、炉ドアの保持フレームへの挿着を可能にする大きさを有する。炉ドアのドアセンタリング及び／若しくは固定のための手段は、好ましくは、炉ドア若しくはドア止めが保持フレーム内の清掃位置を占めるとすぐに、炉ドアの保持フレームへの挿着時に、炉ドアのドアセンタリング及び固定が自動的に生じるように配置されている。この点に関しては以下でさらに取扱う。
【０００９】
保持フレームの挿着側は、コークス炉のコークス押出機及び／若しくはコークス移行機の方向へ方向づけられる。それによって、簡単な方法で、好ましくはコークス押出機及び／若しくはコークス移行機に備えられるドアリフター装置を有する炉ドアを、炭化室のドア開口におけるその位置から移動させかつ保持フレームへ挿着することが可能である。もちろん基本的には、保持フレームの挿着側が、コークス押出機の側及び／若しくはコークス移行機の側に対して最大９０°の角度で係合し、若しくは機械側に対して回転されることも可能である。この場合、炉ドアが移動した後に、適切に回転させ、炉ドアを保持フレームへ挿着できることが必要である。
【００１０】
炉ドアの保持フレームにおけるドアセンタリング及び／若しくは固定のための手段の配置は、好ましくは、実質的に炭化室の炉ドアのドアセンタリング及び固定のための手段の配置に対応する。保持フレームの配置それ自体若しくはロッキングフックの配置及び保持フレームのセンタリングは、好ましくは、ロッキングフックの配置及び炭化室のアンカー台の領域におけるセンタリングに対応しうるため、炭化室及び保持フレームにおける炉ドアの同じ挿着状態若しくはロッキング状態が生成可能である。
【００１１】
本発明によるコークス炉制御装置の好ましい実施形態において、保持フレームは実質的に互いに対して平行に配置された複数の長手方向ビームを有し、ここで支持フレームは、少なくとも２つの長手方向ビームに沿って、ローラーを介して作動可能にガイドされる。この長手方向ビームによって、炉ドアを保持フレームに支持固定するために必要である保持フレームの高い安定性が生じる。支持フレームのローラーガイドは、支持フレームを保持フレームの長手方向ビームに沿って、少ない労力で前後に操作することを可能にする。
【００１２】
好ましくは、長手方向ビームは、実質的にコークス炉の側壁に対して平行に、鉛直方向に延在する。この場合、保持フレームは、好ましくはコークス炉の側壁に並んで実質的に直立して配置されており、ここで支持フレームは、保持フレームに挿着されるドア止めの側表面に沿って垂直方向に操作される。この場合、保持フレームの配置は、コークス炉のアンカー台の配置に対応し、これが炉ドアの保持フレームへの挿着を単純化する。保持フレームの十分な安定性を確実にするために、挿着領域は、２つの隣接した長手方向ビームによって限定され、ここで炉ドアは、隣接した長手方向ビーム間の領域へ挿着される。通常、本発明によるコークス炉制御装置はコークス炉制御機に配置され、これとともに操作されることも基本的に可能である。
【００１３】
保持フレームの安定性をさらに高めるために、保持フレームは、長手方向にｎ角形の横方向の縁、好ましくは四角形の横方向の縁を有する。保持フレームの角には、好ましくはそれぞれ少なくとも１つの長手方向ビームを備えることが可能である。保持フレームが、四角形の横方向の縁を有すると、４つの長手方向ビームをそれぞれの角に備えることが可能となる。
【００１４】
支持フレーム及びローラーガイドの負荷を減少させるために、支持フレームは、保持フレームのすべての長手方向ビームに沿って作動可能にガイドされることが望ましい。支持フレームがｎ角形の横方向の縁を有する場合、本発明によれば、好ましくは支持フレームが少なくとも角に備えられたすべての長手方向ビームに沿って作動可能にガイドされることが望ましい。この場合、支持フレームは、保持フレームの長手方向ビームの数に対応する数のローラーを有するが、ここで支持フレームの操作に際しては、各々のローラーは長手方向ウェブのスクロール領域でスクロールする。
【００１５】
保持フレームは、好ましくは、長手方向ビーム間に配置されているドア止め用の清掃領域を有する。清掃領域は、保持フレームの挿着領域に隣接しており、ここで清掃領域の長さ及び幅は、清掃領域におけるドア止めの挿着及びその清掃を可能にする。挿着工程に際して、炉ドアはドア止めとともに、最初に挿着領域を介して保持フレームへ挿着される。ここでドア止めは、清掃領域に位置決めされる。既述されているように、保持フレームは、ドア止めが、清掃領域における所定位置を占めるように、炉ドアのセンタリングのための手段を有する。次いで、炉ドアは、炉ドアを挿着する保持フレームの意図された手段を介して固定される。
【００１６】
支持フレームは、保持フレームの長手方向に実質的にＵ字状の横方向の縁を有し、ここで支持フレームの開放側は、保持フレームの挿着側の方向へ方向づけられている。それによって、支持フレームは、保持フレームへのドアの挿着を妨害しない。好ましくは、支持フレームは台車として且つ保持フレームは手押しフレームとして形成されており、支持フレームの操作に際して、支持フレームのローラーが長手方向ビームのスクロール領域でスクロールする。基本的にはもちろん、支持フレームは、工具送り台として形成されており、且つ長手方向ビームのガイド部分は工具送り台の摺動ガイドを可能にすることも可能である。
【００１７】
支持フレームの高い安定性を確実にするために、支持フレームは、少なくとも２つの側ウェブ及びこれらの側ウェブを互いに結合する少なくとも１つの横方向ウェブを有する。支持フレームの安定性をさらに高めるために、支持フレームは、複数の側ウェブ及びこれらと結合した横方向ウェブ及び水平ウェブを有する片側に開放したケージとして形成されていることが望ましい。
【００１８】
すでに以前に指摘されているように、ドア止めの両方の側表面を、清掃工程において同時に清掃するために、２つのフライス装置が備えられる。フライス装置は、支持フレームに向かい合って配置される。それによって、支持フレームの操作に際しては、保持フレームの長手方向側に沿って、ドア止めの両方の長手方向側の同時の清掃が、簡単な方法で同時に可能である。
【００１９】
フライス装置の位置は、好ましくは、ドア止めの側壁の傾斜に適合されている。好ましくは、フライス装置の位置は、さまざまな傾斜角に適合可能であり、本発明による種類のコークス炉制御装置では、さまざまに傾斜した側壁を有するドア止めを清掃することが可能である。しかし、基本的には、各々のドア止め形態のために、ドア止めの側壁の傾斜に対応して係合したフライス装置を有するコークス炉制御装置が備えられることも可能である。
【００２０】
ドア止めに対して、フライス装置の送り移動をコントロールするために、コントロール装置が備えられる。コントロール装置は、零点位置からフライス装置を所定の送りステップで、ドア止めの側壁又は台座表面の方向へ操作させるための適切なセンサ機能を有する。コントロール装置は、フライス装置の送りをもたらす駆動ユニットと結合されている。例えば、フライス装置は、油圧シリンダを介して動かされる工具送り台に配置される。特に簡単な実施形態においては、切込みはライニングプレートによって調製される。
【００２１】
フライス装置の負荷を減少させるために、各々の清掃作業に際して、すなわち、フライス装置の各々の操作に際して、ドア止めの側表面若しくはドア止めの台座表面に沿って、５ｍｍ以下、好ましくは、２ｍｍ〜３ｍｍの移動が確保されている。必要な清掃作業の数は、ドア止めの汚染度によって決まる。しかし、通常は、清掃工程に際して、ドア止めの損傷を確実に回避するために、沈殿した成分すべてがドア止めから除去されるわけではない。
【００２２】
清掃工程に際して、ドア止めの側表面に沿って又はドア止めの台座表面に沿って、フライス装置を前後に操作するこが可能であるために、保持フレームは、支持フレームを操作するための装置を有する。例えば、鎖コンベヤ駆動を有する鎖コンベヤ装置が備えられる。
【００２３】
ドア止めのできる限り完全な清掃を可能にするために、ドア止めの台座表面を清掃するための保持フレームに対して、実質的に横方向に作動可能に配置された少なくとも１つの追加のフライス装置が備えられる。
【００２４】
ドア止めの清掃工程に際しては、炭化工程に際して、ドア止めに形成された沈殿物が除去される。この場合、人員に不快感及び健康に対する危険をもたらす放出物が発生する。これらはコークス炉制御装置の領域にとどまる。したがって、好ましくは、コークス炉制御装置が、少なくともドア止めの清掃工程に際して、実質的に完全に周囲に対して格納されていることが望ましい。放出物の吸引のために、筐体は吸引装置と結合されている。それによって、ドア止めの清掃工程に際して、本発明によるコークス炉制御装置の周囲領域にとどまる人員の不快感及び危険が排除される。
【００２５】
保持フレームの筐体は、保持フレームの挿着側で、ドアの保持フレームへの挿着を可能にする開口を有する。この場合、筐体の側壁は、好ましくは、挿着領域を制限する保持フレームの長手方向ビームと密接に結合され閉鎖している。清掃工程中の挿着領域の閉鎖には、可動式及び／若しくは作動可能に配置された筐体のハウジング部分が備えられる。もちろん、挿着領域を、周囲に対して、清掃工程に際して、実質的に完全にシールするために、例えばバネ鋼板など適切なシーラーも備えられる。
【００２６】
本発明によるコークス炉制御装置は、コークス炉のコークス押出機の側及び／若しくはコークス炉のコークス移行機の側に、ドア止めの清掃のために備えられる。好ましくは、コークス炉の両方の側で、本発明によるコークス炉制御装置が備えられている。これらは、炭化室と並んで側方に配置され、コークス炉の側壁又は下部と結合される。本発明の好ましい実施形態においては、保持フレームは、コークス炉の側壁と並んで実質的に直立して配置され、ここで保持フレームの長手方向ビームは、適切な固定手段を介してコークス炉の下部と結合されていることが望ましい。保持フレームの上端では、保持フレームの長手方向ビームが、横方向ビームを介してコークス炉の側壁と結合されるため、コークス炉における保持フレームの安定した接続が生じる。
【００２７】
コークス炉の両側に、本発明による種類のコークス炉制御装置が備えられている場合、ドア止め清掃に際して放出された放出物の吸引のために、コークス炉制御装置を、少なくともドア止めの清掃工程に際して、実質的に完全に周囲に対して閉鎖する共通の筐体が備えられる。共通の筐体は、実質的にコークス押出機の側からコークス炉の全幅を介してコークス機の側まで延在する。共通の筐体により、ドア止め清掃に関連して、清掃領域から周囲への汚染物の侵入が生じないことが確保される。
【００２８】
共通の筐体に加えて、各々のコークス炉制御装置もそれ自体格納されることが望ましい。コークス炉制御装置の二重筐体によって、清掃工程に際して放出される放出物の周囲への侵入を恐れる必要がなくなり、「内部の」又は共通の筐体がドア止めの清掃工程中に例えば干渉状態に基づき開放される必要がある場合でも、それを恐れる必要がないことが確保される。特に、炭化プラントの操作員には、共通の筐体内で、コークス炉制御装置の内部の筐体を開放し、例えば清掃工程中に必要な修理を実施することが可能である。各々のコークス炉制御装置用に吸引装置が備えられるが、ここで吸引装置は収集導管に接続される。次いで、収集導管を介して、ドア止めの清掃工程に際して放出された放出物の共同の排出が可能である。
【００２９】
炭化室のドア開口へ、若しくはそこからの炉ドアの挿着及び移動のために、かつ保持フレームへ、若しくはそこからの炉ドアの挿着及び移動のために、コークス押出機及び／若しくはコークス移行機のドアリフト装置が備えられている。それによって、炉ドアの清掃工程は単純化される。しかし、基本的には、本発明は、必要に応じて、コークス炉の長手方向へ、及びコークス炉制御機から独立して作動可能なドアリフト装置を備えることも可能である。
【００３０】
詳しくは、本発明によるコークス炉制御装置を構成し、かつ改良する複数の可能性があり、一方では従属クレームで、他方では図面を参照して本発明の好ましい実施例の以下の詳細な説明で参照される。
【発明を実施するための最良の形態】
【００３１】
以下、本発明の実施例について、図面により説明される。
【実施例】
【００３２】
図１には、複数の並列に配置された炭化室を有するコークス炉４の詳しく図示されていない炭化室の炉ドア３のドア止め２の清掃のための本発明によるコークス炉制御装置１が示されている。図１は、背後からのコークス炉制御装置１を示し、すなわち、コークス炉制御装置１に挿着される炉ドア３を示す。炉ドア３は、挿着側若しくは図示されていないコークス炉制御機の側でコークス炉制御装置１へ挿着される。コークス炉制御装置１は２つのフライス装置５を有し、これらはガイドに沿って作動可能な支持フレーム６上に作動可能に配置されている。
【００３３】
支持フレーム６を操作するために、特に固定された保持フレーム７が備えられており、支持フレーム６は保持フレーム７の長手方向ビーム８に沿って作動可能にガイドされる。さらに、保持フレーム７は、炉ドア３のロッキングバー１０と協働し、保持フレーム７における炉ドア３の固定のために備えられているロッキングフック９を有する。保持フレーム７は、さらにドアセンタリングのための手段１１を有する。
【００３４】
保持フレーム７は、横方向ビーム１２を介してコークス炉の下部と固定されており、かつ別の横方向ビーム１３を介してコークス炉４の側壁１４と結合されている。支持フレーム６の高い調節のために、鎖コンベヤ装置が備えられており、これは鎖コンベヤ駆動部、駆動鎖１６、及びガイドローラー１７を有し、ここでガイドローラー１７は保持フレーム７の上方の横方向ビームの近くに配置されている。駆動鎖１６は、支持フレーム６と、ガイドローラー１７を介して鎖コンベヤ１５の駆動ピニオンと結合されている。フライス装置５の送り移動の調節のために油圧モータ１９が備えられている。
【００３５】
図２によれば、保持フレーム７は長手方向で四角形の横方向の縁を有し、ここで保持フレーム７の角にそれぞれ長手方向ビーム８が備えられている。支持フレーム６は、保持フレーム７のすべての長手方向ビーム８に沿って作動可能にガイドされる。支持フレーム６は、実質的にＵ字状の横方向の縁プロフィールを、側ウェブ２０及び側ウェブ２０と互いに結合された横方向ウェブ２１とともに有する。側ウェブ２０及び横方向ウェブ２１は支持フレーム６の下方支持部を形成する。その横方向ビーム２１が図１に示されている支持フレーム６の同様に形成された上方支持部が、下方支持部と水平ウェブ２２と結合されている。支持フレーム６は、複数の側ウェブ２０、横方向２１、及び水平ウェブ２２を有する片側に開放したケージとして形成されている。
【００３６】
特に図２からわかるように、支持フレーム６は長手方向ビーム８に沿ってローラー２３を介して作動可能にガイドされる。長手方向ビーム８は、ローラー２３をガイドするスプリットレールを有する。しかし、基本的には、支持フレーム６はただ２つの長手方向ビーム８に沿って作動可能にガイドされることも可能である。
【００３７】
ロッキングフック９は、保持フレーム７の挿着側に備えられており、ここで隣接した長手方向ビーム８間には、挿着側に炉ドア３のための挿着領域が形成される。保持フレーム７への炉ドア３の挿着には、炉ドア３はドア止め２とともに最初に保持フレーム７へ挿着される。この場合、炉ドア３のロッキングバー１０は、ロッキングフック９へ取付けられる。ロッキングフック９によって、炉ドア３は保持フレーム７に固定される。ドアセンタリングのためには、円錐形の横方向の縁を有し、炉ドア３の保持フレーム７への挿着に際して、その正確な方向づけを確保する手段１１が備えられている。
【００３８】
定常石止め清掃は、炉ドア３若しくはドア止め２の両方の長手方向側及び台座表面におけるグラファイト沈殿物の除去に役立つ。この場合、図示されている実施形態では、清掃はフライス装置５によって、下方から上方へ行われることが望ましい。それぞれ上方及び下方の最終位置は、詳しく図示されていないリミットスイッチによって制限される。この場合、保持フレーム７の長手方向ビーム８間に清掃領域２５が形成される。清掃領域２５は挿着領域２４と同様に、清掃領域２５におけるドア止め２の正確な位置決めを可能にする十分な幅及び高さを有する必要がある。支持フレーム６の開放側は、保持フレーム７の挿着側の方向へ方向づけられており、支持フレーム６によって炉ドア３の挿着は妨害されない。
【００３９】
フライス装置５の位置は、ドア止め２の側壁の傾斜に適合されている。フライス装置５は、この場合、ドア止め２の側壁に対して直角に配置されており、清掃工程を簡単にし、かつ清掃工程における高い除去を確実にする。さらに、詳しく図示されていないコントロール装置が、ドア止め２に対してフライス装置５の送り移動を好ましくは自動的にコントロールするために備えられている。コントロール装置は、フライス装置５のフライス盤２６のドア止めの側表面との距離若しくは送りを捕捉しかつ制御して調節するために、センサ機能と結合される。各々の清掃作業では、ドア止め２の側表面上の汚染物の最大の除去は、５ｍｍ未満、好ましくは２ｍｍ〜３ｍｍである。
【００４０】
図３には本発明によるコークス炉制御装置１の追加の実施形態が示されており、石止め２の台座表面の清掃のために、別の支持フレーム２７と結合した追加のフライス装置２８が備えられている。追加の支持フレーム２７もローラー支持されており、油圧シリンダ２９を介して垂直方向に操作される。
【００４１】
図４には上方から見たコークス炉４の領域が示されており、ここでコークス炉４の詳しく図示されていないコークス押出機の側及びコークス炉４の同じく詳しく図示されていないコークス移行機の側には、それぞれ前述された種類のコークス炉制御装置１が備えられている。コークス炉制御装置１は、詳しく図示されていない炭化室と並んで側方に配置されており、コークス炉４の側壁１４及びコークス炉４の下部と結合されている。図４によれば、少なくともドア止め２の清掃工程に際して、コークス炉制御装置１は、実質的に完全に周囲に対して格納されることが望ましい。このために各々のコークス炉制御装置は、それぞれ吸引装置３１と結合されている筐体３０に組込まれている。吸引装置３１により、ドア止め２の清掃工程に際して放出された放出物が、捕捉され吸引される。吸引された気流の清掃のために、各々の吸引装置３１は、フィルタ装置３２と結合されており、ここで両方のコークス炉制御装置１から吸引された気流は、収集導管３３を介して除去される。
【００４２】
筐体３０の機械側の側壁３４は、保持フレームの挿着領域に対して側方に、それぞれ保持フレーム７の長手方向ビーム８と結合されている。清掃された石止め２の保守及び点検のために、筐体３０の領域が、挿着装置によって除去可能に結合されている。筐体３０の側壁３４は、コークス炉４の全幅にわたって延在する共通の筐体３５の一部である。共通の筐体３５は、安全ドアを有する。二重筐体によって、ドア止めの清掃工程中の内部筐体３０又は共通の筐体３５の開放に際しても、放出物の放出が生じないことが確保される。
【００４３】
その他の点では、本発明は必要に応じて、特許請求の範囲に挙げられた特徴、及び／若しくは図面を使用して開示され、説明された特徴を、これが詳しく説明されていないとはいえ、互いに組み合わせることが可能である。本発明は、図示され説明された実施形態に限定されていない。
【図面の簡単な説明】
【００４４】
【図１】背後から適合したコークス炉制御装置の実施形態を示す横断面図である。
【図２】上部からの図１に示されているコークス炉制御装置を示す横断面図である。
【図３】石止めの台座表面を清掃するためのフライス装置を有する本発明によるコークス炉制御装置の別の実施形態を示す図である。
【図４】２つのコークス炉制御装置を有するコークス炉を示す概略平面図である。
【符号の説明】
【００４５】
１  コークス炉制御装置
２  ドア止め（石止め）
３  炉ドア
４  コークス炉
５  フライス装置
６  支持フレーム
７  保持フレーム
８  長手方向ビーム
９  ロッキングフック
１０  ロッキングバー
１１  （ドアセンタリングのための）手段
１２，１３  横方向ビーム
１４  側壁
１５  鎖コンベヤ
１６  駆動鎖
１７  ガイドローラー
１９  油圧モータ
２０  側ウェブ
２１  横方向
２２  水平ウェブ
２３  ローラー
２４  挿着領域
２５  清掃領域
２６  フライス盤
２７  支持フレーム
２８  フライス装置
２９  油圧シリンダ
３０  筺体
３１  吸引装置
３２  フィルタ装置
３３  収集導管
３４  側壁
３５  筺体
【図１】
2008527097.tif 000003
【図２】
2008527097.tif 000004
【図３】
2008527097.tif 000005
【図４】
2008527097.tif 000006
【国際調査報告】
2008527097.tif 000007
2008527097.tif 000008
2008527097.tif 000009
2008527097.tif 000010